(57)【特許請求の範囲】
【請求項１】
被写体像を示す画像データを取得するとともに、撮影する画角を調節可能な撮影手段と、
証明写真の撮影時に前記撮影手段から得られる画像データから顔の大きさを検出する検出手段と、
各種の証明写真から所望の証明写真を選択する選択手段と、
前記検出した顔の大きさが前記選択手段において選択可能な証明写真のうち最も大きいサイズの証明写真を所定の解像度で印刷するにあたって該最も大きいサイズの証明写真が必要とする所定の大きさになるように前記撮影手段で撮影する画角を自動的に調節する画角調節手段と、
前記検出した顔の大きさが前記選択された証明写真が必要とする所定の大きさになるように、前記調節した画角で撮影して得た画像データを縮小して新たな画像データを生成するリサイズ手段と、
前記新たな画像データに基づいて前記所定の解像度で画像を印刷するプリンタと、
を備えたことを特徴とする証明写真システム。
【請求項２】
前記調節した画角で撮影して得た画像データを記録する記録手段を備えたことを特徴とする請求項１の証明写真システム。
【請求項３】
前記検出した顔の大きさは、頭の天位置から顎迄の長さであることを特徴とする請求項１又は２の証明写真システム。
【請求項４】
前記新たな画像データに前記選択した証明写真に応じたカット範囲を示すカットガイダンスを合成する合成手段を備えたことを特徴とする請求項１、２又は３の証明写真システム。
【請求項５】
前記合成手段は、前記検出した顔の位置に応じて前記カットガイダンスを合成することを特徴とする請求項４の証明写真システム。
【請求項６】
前記カットガイダンスは、実線、破線、隅枠のうちの少なくともいずれか１つであることを特徴とする請求項４又は５の証明写真システム。
【請求項７】
前記カットガイダンスの色は、地色の補色、地色と反対の濃度、白色、黒色のうちの少なくともいずれか１つであることを特徴とする請求項４、５又は６の証明写真システム。
【請求項８】
前記撮影手段は、画像データと併せて撮影日付や撮影に関する撮影情報を取得し、
前記プリンタは、前記撮影情報を印刷することを特徴とする請求項１乃至７のいずれか１の証明写真システム。
【発明の詳細な説明】
【０００１】
【発明の属する技術分野】
本発明は証明写真システムに係り、特に撮影画像の画角を自動で調節する証明写真システムに関する。
【０００２】
【従来の技術】
従来からビザ用、パスポート用といった複数の種類の証明写真用に、写真シートをバランス良くカットできるようにしたカットマーク入り証明写真及びその製造装置が特開平９−２７８９７号の公報に示されている。
【０００３】
また、利用者が証明写真のサイズとプリント時の引伸ばしサイズとを入力すると、電子カメラが被写体までの距離を測定して撮影範囲情報を出力し、撮影範囲を写し込み可能とする焦点距離情報を算出してズームレンズを駆動する証明写真用カメラが実開平５−３０８４８号の公報に示されている。
【０００４】
【発明が解決しようとする課題】
しかしながら、特開平９−２７８９７号の公報に示されているカットマーク入り証明写真及びその製造装置では、証明写真の大きさしか考慮しておらず、実際のパスポートで要求されている被撮影者の顔の大きさや顔の位置に関する調節は行われていないので、証明写真の大きさが適合していても証明写真としては利用できないという不具合を生じていた。
【０００５】
また、実開平５−３０８４８号の公報に示されている証明写真用カメラでは銀塩カメラを用いてズーム撮影しているため、複数の用途に証明写真を利用する場合にはその複数の用途ごとにズーミングを実施して、被撮影者の大きさと証明写真の大きさを所定の大きさに設定して撮影し直す必要があった。
【０００６】
一方、各種の証明写真の形状は、証明写真の種類に応じたアスペクト比及び大きさに適合する必要があるが、被撮影者の像を所望の位置に設定しつつ証明写真の種類に応じたアスペクト比及び大きさに写真をカットするのは難しいという問題がある。
【０００７】
本発明はこのような事情に鑑みてなされたもので、証明写真の用途に応じて撮影画角と被撮影者の位置及び大きさとを自動で調節することが可能な証明写真システムを提供することを目的とする。
【０００８】
また、本発明は、証明写真の用途に応じてプリントのサイズやアスペクト比を設定でき、証明写真を所定の大きさにカットする位置を指示することが可能な証明写真システムを提供することを目的とする。
【０００９】
【課題を解決するための手段】
本発明は前記目的を達成するために、被写体像を示す画像データを取得するとともに撮影する画角を調節可能な撮影手段と、証明写真の撮影時に前記撮影手段から得られる画像データから顔の大きさを検出する検出手段と、各種の証明写真から所望の証明写真を選択する選択手段と、前記検出した顔の大きさが前記選択手段において選択可能な証明写真のうち最も大きいサイズの証明写真を所定の解像度で印刷するにあたって該最も大きいサイズの証明写真が必要とする所定の大きさになるように前記撮影手段で撮影する画角を自動的に調節する画角調節手段と、前記検出した顔の大きさが前記選択された証明写真が必要とする所定の大きさになるように、前記調節した画角で撮影して得た画像データを縮小して新たな画像データを生成するリサイズ手段と、前記新たな画像データに基づいて前記所定の解像度で画像を印刷するプリンタとを備えたことを特徴としている。
【００１０】
本発明によれば、被写体像を示す画像データを取得するとともに撮影する画角を調節可能な撮影手段と、証明写真の撮影時に前記撮影手段から得られる画像データから顔の大きさを検出する検出手段と、各種の証明写真から所望の証明写真を選択する選択手段と、前記検出した顔の大きさが前記選択手段において選択可能な証明写真のうち最も大きいサイズの証明写真を所定の解像度で印刷するにあたって該最も大きいサイズの証明写真が必要とする所定の大きさになるように前記撮影手段で撮影する画角を自動的に調節する画角調節手段と、前記検出した顔の大きさが前記選択された証明写真が必要とする所定の大きさになるように、前記調節した画角で撮影して得た画像データを縮小して新たな画像データを生成するリサイズ手段と、前記新たな画像データに基づいて前記所定の解像度で画像を印刷するプリンタとを備えたので、証明写真の用途に応じて撮影画角と被撮影者の大きさとを自動で調節することが可能となる。
【００１１】
【発明の実施の形態】
以下添付図面に従って本発明に係る証明写真システムの好ましい実施の形態について詳説する。
【００１２】
図１は電子カメラの実施の形態を示す外観斜視図である。撮影手段である電子カメラ１の正面中央部には撮影レンズ２の組み込まれた鏡胴３が取付けられ、撮影レンズ２の上方にはストロボ窓４、ファインダ窓５が形成されている。また、ファインダ窓の右側にはＡＦ（オートフォーカス）投光窓６、ＡＦ受光窓７が上下に並んで設けられている。尚、符号８はストロボ調光センサーである。
【００１３】
前記撮影レンズ２はズームレンズで構成され、電子カメラ１背面に設けられたズームレバー２０（図２参照）の操作、又は、電子カメラ１の処理を制御しているＣＰＵからの指令に応じて駆動される図示せぬモータの駆動力によって、焦点距離を9.2 ｍｍ〜25.8（35ｍｍカメラ換算で35ｍｍ〜105 ｍｍ相当）に画角を変更又は、調節できるようになっている。また、ファインダ窓５の内側には、詳しくは図示されていないが、対物系レンズを構成する移動レンズ群が配置され、撮影レンズ２の焦点距離の変更に連動して前記移動レンズが駆動されるズームファインダが構成される。更に、×２モードに設定することにより、２倍の電子ズームを行うことができる。即ち、光学ズームと電子ズームとによって最大６倍ズームまで可能になっている。
【００１４】
前記ＡＦ投光窓６の内側には赤外線発光ダイオード等の投光手段が設けられ、前記ＡＦ受光窓７の内側にはフォトダイオード等の受光素子を含む受光手段が配設される。これら投光手段と受光手段とで被写体までの距離を測定する測距部が構成される。この測距部（ＡＦ部）は、例えば三角測量の原理に基づいて被写体までの距離を求め、その結果はオートフォーカス（ＡＦ）制御に利用される。
【００１５】
電子カメラ１の上面にはシャッタボタン９、モードダイヤル１０、アップ／ダウンダイヤル１１、アクセサリーシュー１２、液晶表示パネル１３が設けられ、液晶表示パネル１３の左側部には、前から順にサイズ切替えボタン１４、消去ボタン１５、プリントボタン１６が並んで設けられている。
【００１６】
モードダイヤル１０は、正／逆両方向に回動自在に設けられ、ダイヤルの設定位置によって電子カメラ１の機能を変更できる。例えば、回転操作のクリック停止位置毎に「ＯＦＦ」−「ＡＵＴＯ」−「ＳＥＴＵＰ」−「Ｐ」−「Ｓ」−「Ａ」−「Ｍ」−「ＰＣ」−「ＰＬＡＹ」と９段階に順にモードが変更され、「ＰＬＡＹ」の次には「ＯＦＦ」に戻ってダイヤルが１回転する。
【００１７】
「ＯＦＦ」モードは電子カメラ１を使用しない場合に設定する位置であり、このモード下では電子カメラ１の電源がＯＦＦされる。「ＡＵＴＯ」は、自動撮影を行う場合に設定されるモードであり、このモード下ではＡＦ及びＡＥ（自動露出制御）が有効に機能し、撮影者はシャッタボタン９を押すだけで、他に特別な操作をすることなく撮影を行うことができる。「ＳＥＴＵＰ」は、日付、時刻、感度補正、圧縮モード、カラー／白黒等の各種設定を行うためのモードであり、このモード下で設定すべき項目毎に液晶表示パネルの表示を確認しながらアップ／ダウンダイヤル１１及び後述するセットボタン２３（図２）を操作して所望の設定入力を行う。
【００１８】
「Ｐ」はプログラムＡＥ、「Ｓ」はシャッタ優先、「Ａ」は絞り優先、「Ｍ」はマニュアル露出の撮影モード設定を行う位置である。これらの各撮影モードにおけるプログラム選択、シャッタ速度設定、絞り値設定等は、アップ／ダウンダイヤル１１及びセットボタン２３を操作して所望の入力を行う。
【００１９】
「ＰＣ」は電子カメラ１とパソコンを専用ケーブルで接続して画像データの送受信を行うモードである。「ＰＬＡＹ」は撮影済の画像を再生する時に設定するモードである。
【００２０】
サイズ切替えボタン１４は、各種の証明写真のプリントサイズの設定及び切替えを行う際に使用されるボタンであり、消去ボタン１５はメモリーカードに記憶された画像データの消去を指令する際に使用されるボタンである。また、液晶表示パネル１３は、選択されたプリントサイズ表示、各種スイッチの状態、バッテリー残量、メモリーの使用状況等を表示する。尚、液晶表示パネル１３に表示されるプリントサイズ表示等の詳細については後述する。
【００２１】
図２には、図１に示した電子カメラの背面斜視図が示されている。電子カメラ１の背面にはズームレバー２０が設けられており、このズームレバー２０を上又は下方向に操作することで撮影レンズ２の焦点距離を長焦点側（テレ）又は短焦点側（ワイド）に手動で変更することができる。カメラ背面左上隅部にはファインダの接眼部２２が形成され、該接眼部２２から撮影画角と略等しい視野を観察することができるようになっている。
【００２２】
ファインダの接眼部２２の左横には、セットボタン２３及びシーン数切替えボタン２４が上下に並んで設けられている。セットボタン２３は前述のようにアップ／ダウンダイヤル１１と組み合わせて各種入力設定時に用いられる。また、シーン数切替えボタン２４は、１シーンプリント又は２シーンプリントを切り替える際に使用されるボタンである。
【００２３】
図２中電子カメラ１の右側面部分には、メモリーカードカバー２５がヒンジ２６を介して開閉自在に設けられている。電子カメラ１の内部には記録手段であるメモリーカードの装填室が形成されており、前記メモリーカードカバー２５を開放して電子カメラ１内にメモリーカードを挿入し、又は電子カメラ１からメモリーカードを取り出すことができるようになっている。電子カメラ１背面中央部には透明なメモリーカード確認窓２７が形成されており、該確認窓２７を介して電子カメラ１内にメモリーカードが装填されているか否かを確認できる。
【００２４】
図３は、図１に示した電子カメラの底面を示す斜視図である。
【００２５】
電子カメラ１の底面には後述の拡張ユニット４０と電気的な接続を行うための拡張端子３０、三脚用ネジ穴３２、及びユニット取付け穴３４が設けられている。三脚用ネジ穴３２は拡張ユニットの固定ネジ穴として兼用され、ユニット取付け穴３４は拡張ユニット側に形成されたＬ字状のフック（図４参照）が係合可能なように内部がＬ字状に形成されている。
【００２６】
また、電子カメラ１の底面には、バッテリーカバー３６がヒンジ３７を介して開閉自在に設けられており、該バッテリーカバー３６上に形成されたバッテリーカバーオープンつまみ３８を操作してバッテリーカバー３６を開放することによって電池を交換できるようになっている。
【００２７】
図４は、図１に示した電子カメラの底面に組付けられる拡張ユニットの外観斜視図である。尚、図４には、拡張ユニット４０の背面側から見た様子が示されている。
【００２８】
拡張ユニット４０の上面には、電子カメラ１の拡張端子３０と嵌合する端子４２と、固定ネジ４３と、略Ｌ字状のフック４４とが設けられている。このフック４４を電子カメラ１側のユニット取付け穴３４に係合させるとともに、固定ネジ４３を三脚用ネジ穴３２に螺合させることで電子カメラ１の底部に拡張ユニット４０が組付けられ、電子カメラ１と拡張ユニット４０は拡張端子３０及び端子４２によって電気的に接続される。
【００２９】
また、図中拡張ユニット４０の左側面には、図示せぬ２５ピンのＳＣＳＩ端子が設けられ、パソコンやプリンタ５４とＳＣＳＩケーブルを介して直接接続が可能となっている（図５、図９参照）。
【００３０】
拡張ユニット４０の背面には、スライドスイッチ４６とディップスイッチ４８が設けられている。スライドスイッチ４６は、ＯＦＦ位置、ＳＣＳＩ位置等の切り替えに用いられ、スイッチをＯＦＦ位置に設定するとパワーセーブモードとなり、電子カメラ１側に装着される電池の消耗を抑える。即ち、電子カメラ１に拡張ユニット４０が組付けられていない状態と略同等になる。また、スライドスイッチ４６をＳＣＳＩ位置に設定するとＳＣＳＩ端子を介して接続されたパソコンやプリンタ５４とのデータの送受が有効になる。即ち、撮影した画像をパソコンに送ることができ、パソコン側で電子カメラ１の撮影操作を行うことができる。また、撮影した画像データを加工してプリンタ５４に直接転送してプリントすることができる。
【００３１】
一方、ディップスイッチ４８は、４ポジションアップ／ダウン式のものが用いられ、４つのスイッチの組合せによってＳＣＳＩモード下における更に詳細な設定が行われる。即ち、前記スライドスイッチ４６によってＳＣＳＩモードが選択されている場合に、ディップスイッチ４８によって更にパソコン接続を有効とするＰＣ動作モードとするか、或いはプリンタ接続を有効としてプリントを可能にするプリントモードにするかの設定等が行われる。
【００３２】
図５には、図１に示したデシタルカメラと図４に示した拡張ユニットとを組み合わせたシステムの構成が示されている。電子カメラ１は撮影した画像をＮＴＳＣ等の所定の信号形式で送出する映像出力端子を有しており、該映像出力端子をアクセサリーシュー１２に取り付けられる液晶ビューファインダや液晶のモニタ５０、又はテレビモニタ等の画像表示装置に接続することにより、スルー画像（動画）や撮影した画像を確認することができる。
【００３３】
また、電子カメラ１内には記録手段であるメモリーカード５２が装填され、撮影した画像データ及び撮影に関する情報は所定の形式でメモリーカード５２に記録される。記録方式には、例えば、Exifフォーマットに準拠する形式が採用され、撮影されたコマ毎にＪＰＥＧ形式で圧縮した画像データと８０×６０画素のサムネイルデータとが一組で記録される。更に、前記画像データと併せて画像データのタグ情報が記録される。
【００３４】
メモリーカード５２には、ＰＣカード、又はＰＣカードアダプタによってＰＣカードと互換性を有して使用できるスマートメディア（ＳＳＦＤＣ）が用いられる。メモリーカード５２は電子カメラ１から取り出し可能であり、ＰＣカードスロットを有するノートパソコンや、ＰＣカードリーダに挿入することができ、画像データを種々の機器において利用することができる。
【００３５】
電子カメラ１の底面に組付けられた拡張ユニット４０はＳＣＳＩケーブルによってプリンタ５４と直接接続が可能である。プリンタ５４と拡張ユニット４０との間では双方向通信が行われ、接続されたプリンタ５４からはプリンタの機種、用紙サイズ等に関する情報が拡張ユニット４０側に送られる。
【００３６】
図６はそれぞれ各種の証明写真のプリントサイズと同じアスペクト枠（印刷する場合はカットガイダンスとして利用する）がモニタに表示された状態を示す図であり、図６（Ａ）、図６（Ｂ）、図６（Ｃ）及び図６（Ｄ）はそれぞれビザ用枠、パスポート用枠、自動車運転免許用枠、及び名刺用枠を示している。また、図７は撮影した画像上にパスポート用枠が合成された状態を示すモニタの表示画面を示す図である。
【００３７】
図８はサイズ切替えボタン１４等の操作に基づく液晶表示パネル１３の表示内容を示す図である。サイズ切替えボタン１４（選択手段）は、前述したように各種の証明写真のプリントサイズの設定及び切替えを行うものであり、ワンプッシュするごとに「ＯＦＦ」→「Ａサイズ（ビザ用証明写真）」→「Ｂサイズ（パスポート用証明写真）」→「Ｃサイズ（自動車運転免許用証明写真）」→「Ｄサイズ（名刺用写真）」→「ＯＦＦ」となるように用途を切り替える。なお、切り替えた用途に応じて前記図７に示したモニタ上に表示されている枠についても、大きさやアスペクト比とを切り替える。これら上記の証明写真の種類は、この実施の形態の４種類に限定されるものではない。
【００３８】
尚、ビザ用証明写真のプリントサイズは５０ｍｍ×５０ｍｍ（縦横のアスペクト比＝１：１）、パスポート用証明写真のプリントサイズは４５ｍｍ×３５（アスペクト比＝９：７）、自動車運転免許用証明写真のプリントサイズは３０ｍｍ×２４（アスペクト比＝５：４）、名刺用写真のプリントサイズは２６ｍｍ×１９ｍｍ（アスペクト比＝２６：１９）である。
【００３９】
また、図８に示した液晶表示パネル１３上でセグメント表示されている「Ａ」「ｂ」、「ｃ」及び「ｄ」は、それぞれＡサイズ、Ｂサイズ、Ｃサイズ及びＤサイズが指定されていることを示し、また、セグメント表示されている「２」は、前述したシーン数切替えボタン２４によって２シーンプリントが設定されていることを示す。
【００４０】
図９は、上記電子カメラ等の内部構成を示すブロック図である。
【００４１】
この電子カメラ１は、主として撮影レンズ２、ＣＣＤ５６、アナログデコーダ５７、Ａ／Ｄコンバータ５８、自動でピントを調節するとともに画角の調節を行うＡＦ・画角調節手段５９、カードインターフェース（カードＩ／Ｆ）６０、ＳＣＳＩ・Ｉ／Ｆ６２、中央処理装置（ＣＰＵ）６４、ワークメモリ６８、フレームメモリコントローラ７０、圧縮／伸長エンジン７２、デジタルエンコーダ７６、フレームメモリ７８、及び操作部８０等から構成されている。尚、ＳＣＳＩ・Ｉ／Ｆ６２は、拡張ユニット４０側に設けられている。
【００４２】
被写体からの光は、撮影レンズ２によってＣＣＤ５６の受光面に結像される。ＣＣＤ５６には、例えば、２／３インチ１４０万画素のものが用いられ、該ＣＣＤ５６の受光面に結像された画像光は、Ｒ、Ｇ、Ｂフィルタを有する各センサで所定時間電荷蓄積され、光の強さに応じた量のＲ、Ｇ、Ｂ信号に変換される。
【００４３】
このＲ、Ｇ、Ｂ信号はアナログデコーダ５７に導かれ、ここでＲ、Ｇ、Ｂ信号のゲイン等が制御される。アナログデコーダ５７から出力されるＲ、Ｇ、Ｂ信号は、Ａ／Ｄコンバータ５８によってデジタル信号（Ｒ、Ｇ、Ｂデータ）に変換された後、このＲ、Ｇ、Ｂデータは、Ｙ／Ｃ変換処理によりＹ／Ｃデータ（輝度信号Ｙとクロマ信号Ｃ）に変換され、フレームメモリコントローラ７０を介してフレームメモリ７８に格納される。
【００４４】
圧縮／伸長エンジン７２は、ＣＰＵ６４から圧縮コマンドが送られると、フレームメモリ７８上のＹ／Ｃデータを圧縮し、その圧縮データをカードＩ／Ｆ６０を介してメモリーカード５２に出力する。これにより圧縮データがメモリーカード５２に記録される。また、メモリーカード５２に記録された圧縮データを再生する場合には、前記圧縮／伸長エンジン７２は、メモリーカード５２から読み出された圧縮データを伸長処理し、この伸長処理したＹ／Ｃデータをフレームメモリ７８に展開する。
【００４５】
デジタルエンコーダ７６は、フレームメモリ７８からフレームメモリコントローラ７０を介してＹ／Ｃデータが加えられており、この入力するＹ／Ｃデータに基づいて例えばＮＴＳＣ方式のカラー複合映像信号を生成し、これを映像出力端子８２に出力する。
【００４６】
ＣＰＵ６４は、撮影して得た映像信号に対して、背景と被撮影者とを分離する処理、撮影者の顔の大きさ、頭の天位置、顎の位置を検出する処理、撮影者の大きさが所定の大きさになるように画角を調節又はリサイズする処理等の信号処理を行う。
【００４７】
オンスクリーンデバイス（ＯＳＤ）コントローラ７４は、ＣＰＵ６４からのコマンドに基づいて本発明に係る各種の枠を示す枠信号や文字等を示すキャラクタ信号を発生し、これをデジタルエンコーダ７６から出力される映像信号に混合させる。
【００４８】
また、ＣＰＵ６４は、プリントモード時にはフレームメモリ７８に格納されたＹ／ＣデータをＲ、Ｇ、Ｂデータに変換し、ワークメモリ６８に格納する。そして、このＲ、Ｇ、ＢデータをＳＣＳＩ・Ｉ／Ｆ６２を介してプリンタ５４に転送する。尚、ＲＯＭ６６には、制御プログラム及び各プリンタの機種に応じた色補正用ルックアップテーブル（ＬＵＴ）が格納されている。
【００４９】
更に、後述する証明写真の撮影プリント又は再生プリントのモード時には、前記フレームメモリ７８に格納されたＹ／Ｃデータのうち、選択された証明写真を示す枠内の画像に対応するＹ／ＣデータのみをＲ、Ｇ、Ｂデータに変換してワークメモリ６８に格納し、各種の証明写真に要求されるプリントサイズと同じサイズでプリントされるように前記Ｒ、Ｇ、Ｂデータの画素数を補間処理等によって調整し、これにより、証明写真プリント用のＲ、Ｇ、Ｂデータや撮影情報及び枠情報をプリンタ５４に転送する。
【００５０】
次に、上記の如く構成された電子カメラの作用について説明する。
【００５１】
ＣＰＵ６４は、電子カメラ１を統括制御するもので、シャッタボタン９、モードダイヤル１０、アップ／ダウンダイヤル１１、サイズ切替えボタン１４、プリントボタン１６等を含む操作部８０からの各種のスイッチ入力に基づいて通常の撮影モード、撮影プリントモード、再生プリントモード等を判別し、各モードに応じて各回路を制御する。
【００５２】
ここで、撮影モードは、撮影したカラー画像データをメモリーカード５２に記録するモードであり、電子カメラ１のモードダイヤル１０を「ＡＵＴＯ」、「Ｐ」、「Ｓ」、「Ａ」、「Ｍ」のうちの何れかに合わせ、また拡張ユニット４０を電子カメラ１に接続しない場合、又は拡張ユニット４０のスライドスイッチ４６をＳＣＳＩ位置に切り替えない場合に設定されるモードである。
【００５３】
撮影プリントモードは、撮影した画像をＳＣＳＩ接続されたプリンタ５４に直ちにプリントするモードであり、電子カメラ１のモードダイヤル１０を「ＡＵＴＯ」、「Ｐ」、「Ｓ」、「Ａ」、「Ｍ」のうちの何れかに合わせ、また拡張ユニット４０のスライドスイッチ４６をＳＣＳＩ位置に切り替え、更にディップスイッチ４８によりＳＣＳＩモード下でプリンタ接続を有効とすることを選択した場合に設定されるモードである。
【００５４】
また、再生プリントモードは、再生した画像をＳＣＳＩ接続されたプリンタ５４にプリントするモードであり、電子カメラ１のモードダイヤル１０を「ＰＬＡＹ」に合わせ、また拡張ユニット４０のスライドスイッチ４６をＳＣＳＩ位置に切り替え、更にディップスイッチ４８によりＳＣＳＩモード下でプリンタ接続を有効とすることを選択した場合に設定されるモードである。
【００５５】
図１０は、本発明に係る証明写真システムを用いて証明写真を撮影する際の撮影の実施の形態を示す図である。
【００５６】
同図によれば、被撮影者９０は、背景板９２の前に位置し、プリンタ５４とモニタ５０とが接続された電子カメラ１によって証明写真を撮影する状況を示している。
【００５７】
電子カメラ１を証明写真撮影モードに設定して証明写真を撮影する場合の処理動作について、図１１に示すフローチャートを参照しながら説明する。
【００５８】
従来の証明写真撮影では、撮影を開始する前ににおいて使用する証明写真の種類に応じたズーム倍率と写真サイズとの設定を行う処理が必要であったが、本発明によればズーム倍率は自動で設定され、写真サイズは撮影終了後のプリント時に設定すればよい。なお、撮影するズーム倍率は、いちばん大きなサイズを必要とするビザ用証明写真（５０ｍｍ×５０ｍｍのプリントサイズ）の領域を確保できる撮影範囲の大きさとし、本実施例では８０ｍｍ×６０ｍｍにて撮影する。また、プリントする時のプリンタの解像度が２０３ｄｐｉ（８ドット／ｍｍの解像度）である場合には、撮影範囲は６４０×４８０ドットの記録画素数で撮影する。
【００５９】
電子カメラ１を被撮影者に向けてシャッタボタン９を押すと、電子カメラ１のＣＰＵ６４における処理プログラムは、図１１に示すステップＳ１００「仮撮影」（以下Ｓ１００のように省略して記載する）にジャンプしてきて、仮撮影を実行する。そして撮影した画像を解析するために次のＳ１０２「クロマキーによる被撮影者の抽出」に進む。
【００６０】
Ｓ１０２では画像処理のクロマキー機能等を用いて、画像から背景を除去して被撮影者９０を抽出する処理を行い、次のＳ１０４「頭の天位置の検出」に進む。一般に証明写真は無帽であることが条件となっているので、帽子等による頭の天位置に関する誤認識が生じることはない。
【００６１】
Ｓ１０４では、図１２に示す画像の上部から走査して、頭の天位置の高さＹ１を求め、次のＳ１０６「被撮影者の横幅の大きさ”Ｘ”の大きさを頭部から順にスキャン→記憶」に進む。
【００６２】
Ｓ１０６では、走査（スキャン）時の被撮影者９０の幅を記憶してゆく。この時、”Ｘ”の値は、頭から肩にかけて下方に走査するにつれて増加してゆく。そして、次のＳ１０８「”Ｘ”の値検査→最大値検出」にて、”Ｘ”の最大値を求めて、およその肩の位置を検出する。
【００６３】
次のＳ１１０「”Ｘ”の最大値に対し、ある割合より小さい部分を顔と判断」にて”Ｘ”の最大値に対し、ある割合より小さい部分を顔と判断することにより、およその顔の範囲と位置を認知する。一般に顔の幅と肩の幅とは２．５〜３倍ほど違うので、容易に判断することが可能である。
【００６４】
次のＳ１１２「頭部から順に”Ｘ”の値を検査し、いちばん下の位置を顎と判断」にて、図１２に示す顎の位置Ｙ２を認知する。また、顎の位置Ｙ２の値は、色の差から画像処理を実施して求めてもよいし、像の深度から焦点情報を基に直接的に求めてもよい。また、検出した肩の位置Ｙ３と、頭の天位置Ｙ１とから経験値に基づいて比例算出して、間接的に求めてもよい。
【００６５】
次のＳ１１４「顔の大きさ判別」では、顔の長さ（Ｙ２−Ｙ１）を算出して、次のステップＳ１１６「適切な顔の大きさ（ドットサイズ）と撮影された顔の大きさ比較」に進む。
【００６６】
Ｓ１１６では、仮撮影して得た顔の長さが所定の画素数（基準となるビザ用の証明写真にて頭の長さが２７±２ｍｍを要求されている場合で、８ドット／ｍｍの解像度をもつプリンタでプリントする場合には、２１６±１６ドットが所定の画素数となる）との比率を算出する処理を行う。
【００６７】
次のＳ１１８「ズーム移動量算出」では、前記Ｓ１１６で算出した顔の長さと要求される所定の画素数とから、画角を変更する際のズーム移動量を算出する処理を行う。ズーム移動量を算出したら、次のＳ１２０「ズーム移動」に進み、ＡＦ・画角調節手段５９に対して算出した量だけテレ側又はワイド側にズーム移動する指令を出力し、所定の画角になるよう調節する。なお、ＡＦ・画角調節手段５９の構成による理由でズーム移動量が離散的である場合には、最も近い画角に調節する。また、ズーム移動は光学系の焦点距離を可変する光学ズームであってもよいし、得られた画像データを演算処理することによって画角変更を行う電子ズームであってもよい。
【００６８】
次のＳ１２２「”ピー”音発生、ユーザーに対しズーム移動完了を知らせる」にて、画角の調節が終了して所定の画角に設定されたことを利用者に通知する。そして、次のＳ１２４「終了」にて仮撮影の処理を終了する。
【００６９】
次に、Ｓ１２６「本撮影」にて証明写真となる本撮影を実施すると、所定の画角に調節された図１３に示す画像を得る。ここで、用途別サイズに対して撮影範囲が広く余裕をもって撮影されているのは、プリント時に切断用の目安となるカットガイダンスを挿入する場合における融通性を確保するためである。
【００７０】
そして、続くＳ１２８「リサイズ処理」にて所望の証明写真を指定しサイズ変更を行い、Ｓ１３０「プリント処理」にてプリントを実施し、Ｓ１３２「カット、整形」にてプリントされた写真を所定のカットガイダンスに沿って切断、整形して、Ｓ１３４「終了」にて、証明写真が完成する。
【００７１】
図１４に、本撮影終了後の画像のリサイズ処理とカットガイダンス挿入処理のフローチャートを示す。
【００７２】
同図によれば、Ｓ１２６にて本撮影が終了すると利用者が証明写真の所望の用途を指定して、リサイズ処理を開始する。図８に示したように、利用者は液晶表示パネル１３の表示内容を見ながらサイズ切替えボタン１４等を操作して各種の証明写真の設定及び切替えを行う。次のＳ２００「証明写真がビザ用？」では、利用者が設定した証明写真の設定が、ビザ用の証明写真であるか否かの判断を行っている。もし、利用者が設定した証明写真がビザ用でない場合にはリサイズ処理を要するので次のＳ２０２「バイリニア処理で所望のサイズにリサイズ」に進む。もし、利用者が設定した証明写真がビザ用である場合にはリサイズ処理は不要であるのでＳ２０４「顔位置に合わせカットガイダンス挿入」に進む。
【００７３】
Ｓ２０２では、撮影により得た画像を縮小するためのリサイズ処理を行う。本発明はリサイズの手法を限定するものではなく、バイリニア処理、３次たたみこみ内挿法などの各種内挿補間処理、スプライン補間等の手法を用いて、被撮影者の顔の大きさやプリントの大きさが所望の大きさになるようリサイズを行う。
【００７４】
Ｓ２０４では、被撮影者の顔の位置に応じて図７に示した証明写真の用途に応じたカットガイダンスを画像データに挿入する。このカットガイダンスは、実線でもよいし、破線でもよいし、４隅にのみ枠を示すマークを挿入してもよいし、複数の線種を組み合わせて挿入してもよい。また、カットガイダンスの色は、画像の色の補色にする、又は地の色の濃度が濃い場合には白枠を表示し、地の色が薄い場合には黒枠を表示するなどしてカットガイダンスを見やすく表示してもよいし、枠内と枠外とで濃度を異ならせた枠や、カラーと白黒で区別された枠でもよい。
【００７５】
更に、カットガイダンスの枠外に、撮影日付等の撮影情報を合成して同時にプリントすることによって、撮影した証明写真が所定の期限内に撮影された写真であるか否かの判断に用いることができる。また、被撮影者の氏名等の情報を合成して同時にプリントすると、複数の被撮影者の証明写真を一度に撮影して分類する用途に便利である。
【００７６】
電子カメラ１にプリンタ５４を接続して証明写真のプリントを指定すると、Ｓ２０６「プリンタにデータ転送」にて、証明写真用の画像データがプリンタ５４に転送されて、次のＳ２０８「プリンタにプリントコマ数指定」にて、所定のプリントコマ数データを送信する。各種プリンタの設定が終了したら、次のＳ２０８「プリント実行」に進み、プリントを開始する。
【００７７】
プリンタ５４にて、指定した証明写真のプリント動作が終了すると、電子カメラ１のプログラムは次のＳ２１２「終了」に進み、プリント処理を終了する。
【００７８】
図１５に、各種証明写真の用途別サイズと、実プリントサイズと、ドットサイズ（画素数）と、プリント駒数との関係を示す。
【００７９】
同図は、プリンタの解像度を２０３ｄｐｉ（８ドット／ｍｍ）とした場合の実施例である。他の解像度のプリンタを用いる場合には、プリンタの解像度に応じて表のドットサイズを変更する。これら各証明写真用のデータ及びカットガイダンスのデータは、ＲＯＭ６６又はメモリーカード５２等の記憶手段に予め記憶しておく。
【００８０】
同図によれば、最大の画素数はビザ用の証明写真で、その他の証明写真の画素数は全てビザ用の画素数以下であるので、ビザ用に撮影を実施しておけば他の証明写真に用いる場合には撮影後にバイリニアのアルゴリズム等を用いたリサイズ処理を実施して所望の証明写真を容易に得ることが可能となる。
【００８１】
本発明に係る証明写真システムを用いて証明写真を撮影するにあたって撮影者は、着座した被撮影者の顔がおよそ画角の中央に位置するように撮影のアングルを調節するだけで、あとは電子カメラ１が自動で画角を調節し、証明写真に併せてカットガイダンスを印刷するので、失敗なく多用途の証明写真を得ることが可能となる。
【００８２】
この実施の形態では、電子カメラにモニタが外付けできるように構成されているが、これに限らず、モニタが一体的に設けられた電子カメラでもよく、更にプリンタもカメラに内蔵されたものでもよい。
【００８３】
また、上記説明では、被写体像を人物像として証明写真用に自動で画像を調節して撮影する例で説明したが、本発明は人物像に限定されるものではない。
【００８４】
【発明の効果】
以上説明したように本発明に係る証明写真システムによれば、被写体像を示す画像データを取得するとともに撮影する画角を調節可能な撮影手段と、証明写真の撮影時に前記撮影手段から得られる画像データから顔の大きさを検出する検出手段と、前記検出した顔の大きさが証明写真が必要とする所定の大きさになるように前記撮影手段で撮影する画角を自動的に調節する画角調節手段とを備えたので、証明写真の用途に応じて撮影画角と被撮影者の大きさとを自動で調節することが可能となる。
【図面の簡単な説明】
【図１】電子カメラの実施の形態を示す外観斜視図
【図２】図１に示した電子カメラの背面斜視図
【図３】図１に示した電子カメラの底面斜視図
【図４】拡張ユニットの外観斜視図
【図５】図１に示した電子カメラと該電子カメラと接続される機器とを組み合わせたシステムの構成図
【図６】各種の証明写真のプリントサイズと同じサイズの枠がモニタに表示された状態を示す図
【図７】画像上にパスポート用枠が合成された状態を示すモニタの表示画面を示す図
【図８】サイズ切替えボタン等の操作に基づく液晶表示パネルの表示内容を示す図
【図９】電子カメラ等の内部構成を示すブロック図
【図１０】本発明に係る証明写真システムを用いて証明写真を撮影する際の撮影の実施の形態を示す図
【図１１】証明写真を撮影する処理動作を示すフローチャート
【図１２】仮撮影で撮影した画像を示す図
【図１３】所定の画角に調節された本撮影の画像を示す図
【図１４】本撮影終了後の画像のリサイズ処理とカットガイダンス挿入処理を示すフローチャート
【図１５】各種証明写真の用途別サイズと、実プリントサイズと、ドットサイズ（画素数）と、プリント駒数との関係を示す図
【符号の説明】
１…電子カメラ、２…撮影レンズ、９…シャッタボタン、１１…アップ／ダウンダイヤル、１４…サイズ切替えボタン、１６…プリントボタン、２０…ズームレバー、４０…拡張ユニット、５０…モニタ、５２…メモリーカード、５４…プリンタ、５９…ＡＦ・画角調節手段、６２…ＳＣＳＩ・Ｉ／Ｆ、６４…ＣＰＵ、６８…ワークメモリ、７０…フレームメモリコントローラ、８０…操作部、８２…映像出力端子、９０…被撮影者、９２…背景板
【図１】
0004196393.tif 000002
【図２】
0004196393.tif 000003
【図３】
0004196393.tif 000004
【図４】
0004196393.tif 000005
【図５】
0004196393.tif 000006
【図６】
0004196393.tif 000007
【図７】
0004196393.tif 000008
【図８】
0004196393.tif 000009
【図９】
0004196393.tif 000010
【図１０】
0004196393.tif 000011
【図１１】
0004196393.tif 000012
【図１２】
0004196393.tif 000013
【図１３】
0004196393.tif 000014
【図１４】
0004196393.tif 000015
【図１５】
0004196393.tif 000016